(57)【特許請求の範囲】
【請求項１】
略直方体形状の被梱包物の一面体の周縁部と、前記一面体の周縁部で接する他の一面体の、前記一面体に接する側の周縁部に沿うように配置される一対のプラスチックス製の面体それぞれが、一端側から他端側にかけて連続して軟質プラスチックス製の連接部により一体に連接され、折り曲げ形状とされた前記連接部が前記被梱包物の一面体と他の一面体が接する角部に沿うように装着使用されることを特徴とする一対の長尺と一対の短尺のプラスチックス製梱包材が、互いに折れ曲がり可能にプラスチックス製のちょう番によって連結固定されて、方形に構成されてなることを特徴とするプラスチックス製梱包装置。
【発明の詳細な説明】
【技術分野】
【０００１】  この発明は、建材や住宅設備機器等の梱包装置に関する。
【背景技術】
【０００２】  現在、建材等の梱包はダンボールを使用して行なうのが主流である。しかしながら、このダンボールは基本的に使い捨てであり、資源の有効利用の観点において好ましくない。これに対して最近では再使用が可能なプラスチックス製の梱包材が提供されている。この梱包材は梱包が容易に行われるように非梱包物の形状に沿うように成形されている。
【発明の開示】
【０００３】  梱包材は製品である被梱包物と一体になって施工現場に搬入され、梱包が解かれた後回収されるが、その工程における取り扱いに際して現状のプラスチックス製の梱包材は次のような問題がある。すなわち、現状のプラスチックス製の梱包材は上記のように被梱包物の形状に沿うように立体的に成形されているのでカサ高く、したがってその回収時の取り扱いに手間がかかるとともに、回収輸送の際に運搬車両に広いスペースが必要となり回収コストも高くなる。また、製品が施工現場に搬入された際、実際にはすぐ梱包は解かれず施工の流れの中でその製品の必要時に梱包が解かれるもので、その後回収時までは梱包材は現場に保管され、その際にも現状のものは広い保管スペースが必要とされ、かつ、保管状態も煩雑な状態となる。
【発明が解決しようとする問題】
【０００４】  この発明では、梱包を開いた後の取り扱いや保管に手間のかかることのない再使用に好適なプラスチックス製の梱包装置を提供することを目的とする。
【課題を解決するための手段】
【０００５】  請求項１の発明では、略直方体形状の被梱包物の一面体の周縁部と、前記一面体の周縁部で接する他の一面体の、前記一面体に接する側の周縁部に沿うように配置される一対のプラスチックス製の面体それぞれが、一端側から他端側にかけて連続して軟質プラスチックス製の連接部により一体に連接され、折り曲げ形状とされた前記連接部が前記被梱包物の一面体と他の一面体が接する角部に沿うように装着使用されることを特徴とする一対の長尺と一対の短尺のプラスチックス製梱包材が、互いに折れ曲がり可能にプラスチックス製のちょう番によって連結固定されて、方形に構成されてなることを特徴とするプラスチックス製梱包装置を提供する。
【０００６】  上記請求項１の発明のプラスチックス製梱装置は、連接部を折り曲げ形態として略直方体形状の被梱包物の一面体と他の一面体が接する角部に沿って装着使用して梱包に用いられ、非使用時には連接部が延ばされた状態とされることで全体が扁平で積層が可能な形態とされる。連接部は軟質プラスチックス製であるので折り曲げ、引き伸ばしよっても損傷することはない。
【０００７】  上記プラスチックス製梱包装置は、一対の長尺と一対の短尺のプラスチックス製梱包材が、互いに折れ曲がり可能にプラスチックス製のちょう番によって連結固定され、さらに、方形に構成されてプラスチックス製梱包装置とされる。そのように構成されたプラスチックス製梱包装置は、一体として被梱包物の周囲にワンタッチで装着、取り外し使用され、その装着、取り外しが容易となる。この梱包装置の非使用時には梱包材の連接部が延ばされた状態とされ、かつ、梱包材どうしの連結部が折り畳まれ、もしくは延ばされ全体が扁平とされて積層が可能な形態とされる。
【０００８】  上記のように、この発明の構成によれば非使用時には積層可能なプラスチックス製梱包装置が得られ、これらは、使用後の保管や運搬等に際してスペースを取らず、また、その取り扱いも容易となる。
【発明の効果】
【０００９】  この発明によれば、梱包を開いた後の取り扱いや保管に手間のかかることのない再使用に好適なプラスチックス製の梱包装置が得られるようになる。
【００１０】  くわえて、梱包材は面体それぞれとそれらをつなぐ連接部とが一端側から他端側にかけて連続して位置するので、押し出し成形により連続一体に成形して得ることが可能で、これにより、この発明のプラスチックス製の梱包装置は製造容易で安価に得られる利点がある。
【００１１】  くわえて、梱包材が連結された梱包装置はそれを拡げることで被梱包物の周囲にワンタッチで容易に装着し、また取り外しが行えるとともに、部品点数も少なくなって保管、運搬の手間も容易となり、きわめて便利に使用できる。
【発明を実施するための最良の形態】
【００１２】  図１はこの発明の梱包材の平面図、図２は梱包材を用いて構成される梱包装置の外観概略斜視図、図３は梱包装置を用いた梱包例を示す斜視図である。【００１３】  梱包装置１００は住宅機器等のキャビネットの梱包に際して上下位置それぞれに用いられる。梱包装置１００は一対の長尺の梱包材１，１と一対の短尺の梱包材２，２とが方形に組み立てれられ構成される。【００１４】  長尺の梱包材１は二色押し出し成形により連続一体に形成され、細巾と太巾との一対の硬質プラスチックス製の面体４，５それぞれが一端側から他端側にかけて連続して軟質プラスチックス製の連接部６により連接されて構成されている。梱包材１は連接部６が軟質プラチックス製であり、かつ、図４Ａの断面図に示すように、その連接部６が一方面側に凹み６ａを持つように成形されることで、通常はその断面形状が図４Ｂの断面図に示すように折れ曲がった形態となっている。また梱包材１の両端の片側には成形後に切り欠かれることで切り欠き７がそれぞれ形成されるとともに、面体５両端の近傍には連結用穴８のそれぞれが形成されている。【００１５】  梱包材１の面体４，５部分の硬質プラスチックス材料としては、例えば、ポリプロピレン樹脂や塩化ビニール樹脂等を用い、それに対応して連接部６部分のプラスチックス材料としては、オレフィン樹脂系エラストマー、軟質塩化ビニール樹脂等が用いられる。短尺の梱包材２も梱包材１と同様の構成で、かつ、同様にして得られるもので、対応する部位には梱包材１のものと同じ図番を付している。【００１６】  梱包材１と梱包材２とは、インジェクション成形によって得られる図５に示すプラスチックス製のちょう番３により連結される。ちょう番３は面体１４それぞれの中間部１５が薄肉に形成されることで折り曲げ可能な構成とされ、面体１４それぞれには結合ピン１３それぞれが一体に突出形成されている。それら結合ピン１３それぞれが上記梱包材１、２の面体５に設けられた連結用穴８それぞれに嵌合されその先が熱により溶かされることでリベットとして機能し、梱包材１，２の連結固定が行われる。なお、ちょう番３面と梱包材１、２面とを直接に高周波溶着するようにしてもよい。【００１７】  このように、ちょう番３により梱包材１，２は一方側の面体５どうしのみが接続されることで他方側の面体４は自由状態で、これにより他方側の面体４は一方側の面体５に対して折り曲げが可能となっているとともに、ちょう番３のそれぞれにより梱包材１，２が連結されることで、梱包装置１００はその連結部分で折り畳み可能な構成とされている。【００１８】  上記梱包装置１００は、図３に示すように、キャビネット５０の上下それぞれに当てがわれるようにして梱包に使用される。梱包は、まずプラスチックフィルムで覆ったキャビネット５０を下側の梱包装置１００内上に配置し、キャビネット５０の４つの角に折れ曲がり形状のプラスチックス製角当て２０それぞれを当てがい、そのキャビネット５０の上部に上側の梱包装置１００を被せ、両端に近い位置で２本のプラスチックバンド１９を上下方向にかけることで一体に固定して行っている。その際、梱包装置１００は梱包材１，２が連接部６で折り曲げられた形態とされ、梱包材���，２の面体４それぞれがキャビネット５０の上下面の周縁部に、面体５それぞれがキャビネット５０の前面、背面、側面の上下周縁部にそれぞれ沿うように配置される。【００１９】  図６は梱包時の角部分の納まり状態を示し、プラスチックバンド１９により固定される梱包材１の面体４の端部４ａで梱包材２の面体４の端部４ｂを押さえ付けるようにして梱包材２の面体４の浮き上がりを押さえ、これによりプラスチックバンド１９の使用本数を減らしている。【００２０】  上記の梱包に際しては、まず、梱包装置１００が方形で環状に連続しているのでそれを拡げることでキャビネット５０への装着がワンタッチで容易に行える。とくに、梱包材１，２が通常はその断面形状が連接部６で折れ曲がっているので、その部分をキャビネット５０の角部に引っかけるようにして装着が容易に行える。また、梱包装置１００の軟質のプラスチックスよりなる連接部６は表面に密着性があって滑りにくいので、上記のようにして梱包した梱包体は滑らないことで保管や搬送に際しての積層が安定して行える。【００２１】  くわえて、梱包されるものがキャビネットの場合、使用される前面扉の厚さ寸法等の差により全体の前後幅が１ｃｍ程度異なることがあるが、梱包装置１００の梱包材１，２どうしの連結部が折り曲げ可能で変形可能とされているので、プラスチックスバンド１９で梱包材１を締め付け固定した際に生じる寸法誤差がその折曲げ部分で吸収され、これにより梱包材２の端部が若干膨らむ程度で支障なく梱包できる利点がある。箱形態やフレキシブル性のない梱包装置では、このような場合、全体がねじれ形態となったり、角部が損傷する問題が発生する。【００２２】  梱包が開かれてキャビネット５０から取り外された梱包装置１００は、梱包材１，２それぞれにおいて連接部６が延ばされるとともに、一組の梱包材１，２間の連結部が延ばされ一組の梱包材１．２間の連結部が折り畳まれることで、図７に示すような扁平な状態とされる。扁平な状態されることで梱包装置１００は積み重ねての保管、回収がスペースを取ることなく行われる。このように梱包を開いた後の取り扱いが容易となることで、梱包装置１００の再使用が促進される。また、この際の取り扱いも、梱包材１，２が連接部６を備え滑りにくいことで容易に行われる。【００２３】  図８、図９は第２の実施形態を示す。この実施形態の梱包装置１００は建材や流し台のトップカウンターの梱包に用いられる。梱包装置１００を構成する梱包材１、２のそれぞれは平行に２本の連接部６を持ち、一対の面体４が面体５の両側に備えられている。梱包に際してはその連接部６がともに折り曲げられた形態とされて、図１１に示すように、建材６０の周囲を囲うように用いられる。連接部６がある程度巾を持つことで、図１０Ａ、図１０Ｂに示すように、建材６０の厚みが若干異なってその積層厚さが異なる場合にも同じ梱包装置１００により梱包が可能とされている。その他の構成及び機能は第１の実施形態のものと同様であり対応する要素には同様の図番を用いており、その説明は省略する。【００２４】  図１２は第３の実施形態を示す。この実施形態の梱包装置１００は第２の実施形態のものと同様に建材や流し台のトップカウンター���梱包に用いられる。この梱包装置１００は第２の実施形態のものにおいて長尺の梱包材１が中央部分で分離され、その部分において長さ調節可能に連結可能な構成とれている。このような構成とされることで重なり部分Ｘの巾を調整可能として長さ寸法の異なる建材等の梱包に兼用できるようにしている。図１３に示すように、分離部分の接続は、一方の梱包材１の面体５の外面に形成された突起４０が他方の梱包材１の面体５に形成されたスライド溝４１に差し入れられて行われ、突起４０がスライド溝４１内をスライド移動されることで重なり部分Ｘの巾が調整可能とされている。【００２５】  図１４は上記梱包装置１００を用いてのシンク付き流し台カウンターの梱包例を示し、シンク部分は別途プラスチックス製のカバー体９１で覆うようにして梱包している。この実施形態のその他の構成及び機能は上記実施形態のものと同様であり対応する要素には同様の図番を用いており、その説明は省略する。【００２６】  図１５は第４の実施形態を示す。この実施形態の梱包装置１００は厨房で使用されるコンロ台の梱包に用いられる。この梱包装置１００は第２の実施形態のものにおいて梱包材１、２の面体５の幅が大きく形成され、図１６に示すプラスチックス製の補強プレート８０と枠体８１とが併せ用いられて使用される。すなわち、梱包装置１００内に３枚の補強プレート８０が段状に用いられ、下段と中段との補強プレート８０間にコンロ台本体が納められ、中段と上段との補強プレート８０間にコンロ台本体上に装着配備される五徳、バーナ、電池等の部品が納められる。上段の補強プレート８０は中段の補強プレート８０上の周囲に沿って置かれる枠体８１上に載置されるようにして設けられ、この枠体８１に囲まれるスペース内に各種部品が安定収納される。【００２７】  この梱包装置１００を用いて構成される梱包体は、上下面、さらに中間部分が補強プレート８０により補強されているので全体が強固で安定した構造となっている。枠体８１はその角部それぞれが梱包装置１００と同様に折り畳みが可能とされ、非使用時には扁平に折り畳まれる。この実施形態のその他の構成及び機能は上記実施形態のものと同様であり対応する要素には同様の図番を用いており、その説明は省略する。
【図面の簡単な説明】
【図１】この発明の梱包材の実施形態の平面図
【図２】この発明の梱包装置の実施形態の外観概略斜視図
【図３】この発明の梱包装置を用いた梱包例の実施形態を示す斜視図
【図４Ａ】この発明の梱包材の実施形態の断面図
【図４Ｂ】この発明の梱包材の実施形態の断面図
【図５】この発明の梱包装置に用いるちょう番の実施形態の外観斜視図
【図６】この発明の梱包装置の梱包例の実施形態を示す部分斜視図
【図７】この発明の梱包材の実施形態の折りたたみ状態の斜視図
【図８】この発明の梱包材の他の実施形態の平面図
【図９】この発明の梱包装置の他の実施形態の外観概略斜視図
【図１０Ａ】この発明の他の実施形態の梱包説明図
【図１０Ｂ】この発明の他の実施形態の梱包説明図
【図１１】この発明の梱包装置を用いた梱包例の他の実施形態を示す斜視図
【図１２】この発明の梱包装置の他の実施形態の外観概略斜視図
【図１３】この発明の梱包装置の他の実施形態の部分拡大図
【図１４】この発明の梱包装置を用いた梱包例の他の実施形態を示す斜視図
【図１５】この発明の梱包装置を用いた梱包例の他の実施形態を示す斜視図
【図１６】この発明の梱包装置の他の実施形態において用いる部材の斜視図
【符号の説明】
１  梱包材
２  梱包材
３  ちょう番
４  面体
５  面体
６  連接部
１００  梱包装置
【図１】
0004719907.tif 000002
【図２】
0004719907.tif 000003
【図３】
0004719907.tif 000004
【図４Ａ】
0004719907.tif 000005
【図４Ｂ】
0004719907.tif 000006
【図５】
0004719907.tif 000007
【図６】
0004719907.tif 000008
【図７】
0004719907.tif 000009
【図８】
0004719907.tif 000010
【図９】
0004719907.tif 000011
【図１０Ａ】
0004719907.tif 000012
【図１０Ｂ】
0004719907.tif 000013
【図１１】
0004719907.tif 000014
【図１２】
0004719907.tif 000015
【図１３】
0004719907.tif 000016
【図１４】
0004719907.tif 000017
【図１５】
0004719907.tif 000018
【図１６】
0004719907.tif 000019